(57)【要約】【課題】ストラップが容易に収束しないストラップ装置を提供する。【解決手段】ストラップ装置１０は、ストラップ９の両端部が係止されて巻き取り可能な第１及び第２巻取ドラム１・２と、ストラップ９を巻き取る方向に力を付勢する第１及び第２ぜんまいばね１ａ・２ａと、第１及び第２巻取ドラム１・２を保持する第１及び第２ケース３・４と、を備える。第１ケース３は、ストラップ９が進退する第１開口３１を有し、第２ケース４は、ストラップ９が進退する第２開口４１を有する。第１巻取ドラム１の回動軸と第２巻取ドラム２の回動軸とが略同軸上に配置されるように、第１ケース３と第２ケース４がそれらの厚さ方向に連結し、ストラップ９が第１巻取ドラム１に巻き取られた後のストラップ９の他端部９ｂから第１開口３１に至るループ長は、人体の首にかける程度の十分な長さを有している。【選択図】図２
2011217862.tif 000002
【特許請求の範囲】
【請求項１】
ストラップの一端部が係止されて、このストラップを巻き取り可能な第１巻取ドラムと、
前記ストラップの他端部が係止されて、このストラップを巻き取り可能な第２巻取ドラムと、
前記第１巻取ドラムが当該ストラップを巻き取る方向に力を付勢する第１ぜんまいばねと、
前記第２巻取ドラムが当該ストラップを巻き取る方向に力を付勢する第２ぜんまいばねと、
前記第１巻取ドラム及び前記第１ぜんまいばねを内装すると共に、当該第１巻取ドラムを回転自在に保持する第１ケースと、
前記第２巻取ドラム及び前記第２ぜんまいばねを内装すると共に、当該第２巻取ドラムを回転自在に保持する第２ケースと、を備え、
前記第１ケースは、前記ストラップの一端部側が進退する第１開口を有し、
前記第２ケースは、前記ストラップの他端部側が進退する第２開口を有し、
前記第１巻取ドラムの回動軸と前記第２巻取ドラムの回動軸とが略同軸上に配置されるように、前記第１ケースと前記第２ケースがそれらの厚さ方向に連結し、
前記ストラップが前記第１巻取ドラムに巻き取られた後の前記ストラップの他端部から前記第１開口に至るループ長は、人体の首にかける程度の十分な長さを有しているストラップ装置。
【請求項２】
前記第１ケースは、外部から操作すると前記第１巻取ドラムとの係合が解除されて、前記ストラップを前記第１巻取ドラムに巻き取る第１押しボタンを備え、
前記第２ケースは、外部から操作すると前記第２巻取ドラムとの係合が解除されて、前記ストラップを前記第２巻取ドラムに巻き取る第２押しボタンを備える請求項１記載のストラップ装置。
【請求項３】
前記第１押しボタンは、前記第１ケースの外面から僅かに突出して配置される第１頭部を有し、
前記第２押しボタンは、前記第２ケースの外面から僅かに窪んで配置される第２頭部を有する請求項２記載のストラップ装置。
【請求項４】
前記ストラップは、当該ストラップに一定以上の引張り力が作用すると、連結が解除される安全連結具を当該ストラップの途中に有し、
前記安全連結具は、前記第１開口で進入が阻止されると共に、前記第２開口で進入が阻止される請求項１又は２記載のストラップ装置。
【請求項５】
前記安全連結具は、互いに着脱可能な一組の円筒状の第１連結部材及び第２連結部材で構成され、
前記第１連結部材は、
前記ストラップの一端部の反対側の末端部を繋留した第１基端部と、
先端部に形成されて前記第１基端部より外径の小さい挿入部と、
この挿入部の外周に設けた輪帯と、
先端面から前記第１基端部に至り、軸方向に沿って切り欠かれた第１スリットと、を有し、
前記第２連結部材は、
前記ストラップの他端部の反対側の末端部を繋留した第２基端部と、
先端部に形成されて前記挿入部が挿入可能な受入部と、
この受入部の内壁に形成されて、前記輪帯と嵌合する環状溝と、
先端面から前記第２基端部に至り、軸方向に沿って切り欠かれた第２スリットと、を有し、
当該ストラップに一定以上の引張り力が作用すると、前記挿入部が縮径、又は受入部が拡径して、前記第１連結部材と前記第２連結部材との連結が解除される請求項４記載のストラップ装置。
【請求項６】
前記第１巻取ドラム及び前記第２巻取ドラムは、中心に向かって突出する複数のラチェット歯を有し、
前記第１押しボタン及び前記第２押しボタンは、前記第１巻取ドラムのラチェット歯及び前記第２巻取ドラムのラチェット歯をそれぞれ前記ストラップが引き出される方向に回転するように逃がす戻り止め刃であって、前記第１巻取ドラムのラチェット歯及び前記第２巻取ドラムのラチェット歯がそれぞれ前記ストラップを巻き取る方向に回転することを阻止する一つ以上の戻り止め刃を有する請求項２又は３記載のストラップ装置。
【請求項７】
前記第１開口と前記第２開口とが近接して配置されている請求項１から６のいずれかに記載のストラップ装置。
【請求項８】
前記第１ケースと前記第２ケースとが同形になっている請求項１から７のいずれかに記載のストラップ装置。
【発明の詳細な説明】
【技術分野】
【０００１】
本発明は、ストラップ装置に関する。特に、首にかけるネックストラップを巻き取って、収容可能な巻取装置を備えるストラップ装置の構造に関する。
【背景技術】
【０００２】
ストラップ（Ｓｔｒａｐ）は、紐又は吊り紐を意味しているが、小型で軽量の携帯電話機やカメラの普及に伴って、これらの機器に着けて持ち運ぶための「環状の提げ紐」の意味合いに比重が置かれている。そして、このストラップには、ループ（輪）を手首又は指にかけて使用するショートストラップと、ループを首にかけて使用するネックストラップの二種類がある。
【０００３】
ネックストラップは、携帯電話機などを着けて使用される他に、ビル又はオフィスに出入りするためのカードを収納するカードケースを着けて使用されることが多くなってきている。このカードは、例えば、社員証としての名札、又は許可された者が使用できるセキュリティカードが相当している。
【０００４】
ところで、ストラップは、その長さが調整できると便利であり、携帯物を使用しないときには、ストラップを自動的にケースに巻き取るように構成できれば、便利である。そして、このような要望から、ストラップを自動的に巻き込むことができ、ストラップの長さの調整が容易であり、調整範囲の広い巻取装置付きのストラップ装置が開示されている（例えば、特許文献１参照）。
【０００５】
特許文献１によるストラップ装置は、ストラップを巻き取り可能な巻取ドラム、ストラップを巻き取る方向に巻取ドラムに力を付勢するぜんまいばね、及びストラップを出入り両方向に対して固定する固定機構を有する巻取装置付きのストラップ装置であって、巻取ドラムは、ケースに対して回転自在に設けられ、ぜんまいばねは、巻取ドラムの内側に取り付けられ、ストラップは、その両端が別々の引き出し口からケース内に導入されて、巻取ドラムに取り付けられ、巻取ドラムに巻き取られるように、構成している。
【先行技術文献】
【特許文献】
【０００６】
【特許文献１】特開平９−２９９１２８号公報
【発明の概要】
【発明が解決しようとする課題】
【０００７】
特許文献１によるストラップ装置は、固定機構（実態として、ケースの表面に設けられたスライド式の押しボタン）を解除すると、ストラップを巻取装置から引き出し、又は、ストラップを巻取装置に自動的に巻き取ることができる。
【０００８】
一方、特許文献１によるストラップ装置は、押しボタンを操作すると、巻取装置に対して、ストラップを所望の長さに調整することができる。
【０００９】
しかしながら、特許文献１による巻取装置付きのストラップ装置は、例えば、ネックストラップとして使用した場合に、押しボタンを不用意に操作すると、ストラップが巻取装置に収納されて（ストラップのループが収束して）、首を拘束することがある。巻取ドラムの巻取力は、比較的弱いので、人体に損傷を及ぼすことは無いと考えられるが、不快感を生じるという問題がある。ストラップが容易に収束しないストラップ装置が求められている。
【００１０】
又、特許文献１は、ストラップを巻き取る一対の巻取ドラムと、これらの巻取ドラムを連動させる駆動ドラムとを平面上に配置した実施例を開示している。しかし、この実施例によるストラップ装置は、収容面積が大きくなるという問題がある。収容面積が小さい、よりコンパクトなストラップ装置が求められている。そして、以上のことが本発明の課題といってよい。
【００１１】
本発明は、このような課題に鑑みてなされたものであり、ストラップのループが容易に収束することなく、収容面積が小さい、よりコンパクトなストラップ装置を提供することを目的とする。
【課題を解決するための手段】
【００１２】
本発明者は、互いに独立して運動する一対の巻取ドラムにストラップの両端を係止すると共に、一対の巻取ドラムをケースの内部に略同軸上に配置することにより、これらの課題が解決可能なことを見出し、これに基づいて、以下のような新たなストラップ装置を発明するに至った。
【００１３】
（１）本発明によるストラップ装置は、ストラップの一端部が係止されて、このストラップを巻き取り可能な第１巻取ドラムと、前記ストラップの他端部が係止されて、このストラップを巻き取り可能な第２巻取ドラムと、前記第１巻取ドラムが当該ストラップを巻き取る方向に力を付勢する第１ぜんまいばねと、前記第２巻取ドラムが当該ストラップを巻き取る方向に力を付勢する第２ぜんまいばねと、前記第１巻取ドラム及び前記第１ぜんまいばねを内装すると共に、当該第１巻取ドラムを回転自在に保持する第１ケースと、前記第２巻取ドラム及び前記第２ぜんまいばねを内装すると共に、当該第２巻取ドラムを回転自在に保持する第２ケースと、を備え、前記第１ケースは、前記ストラップの一端部側が進退する第１開口を有し、前記第２ケースは、前記ストラップの他端部側が進退する第２開口を有し、前記第１巻取ドラムの回動軸と前記第２巻取ドラムの回動軸とが略同軸上に配置されるように、前記第１ケースと前記第２ケースがそれらの厚さ方向に連結し、前記ストラップが前記第１巻取ドラムに巻き取られた後の前記ストラップの他端部から前記第１開口に至るループ長は、人体の首にかける程度の十分な長さを有している。
【００１４】
（２）前記第１ケースは、外部から操作すると前記第１巻取ドラムとの係合が解除されて、前記ストラップを前記第１巻取ドラムに巻き取る第１押しボタンを備え、前記第２ケースは、外部から操作すると前記第２巻取ドラムとの係合が解除されて、前記ストラップを前記第２巻取ドラムに巻き取る第２押しボタンを備えることが好ましい。
【００１５】
（３）前記第１押しボタンは、前記第１ケースの外面から僅かに突出して配置される第１頭部を有し、前記第２押しボタンは、前記第２ケースの外面から僅かに窪んで配置される第２頭部を有することが好ましい。
【００１６】
（４）前記ストラップは、当該ストラップに一定以上の引張り力が作用すると、連結が解除される安全連結具を当該ストラップの途中に有し、前記安全連結具は、前記第１開口で進入が阻止されると共に、前記第２開口で進入が阻止されることが好ましい。
【００１７】
（５）前記安全連結具は、互いに着脱可能な一組の円筒状の第１連結部材及び第２連結部材で構成され、前記第１連結部材は、前記ストラップの一端部の反対側の末端部を繋留した第１基端部と、先端部に形成されて前記第１基端部より外径の小さい挿入部と、この挿入部の外周に設けた輪帯と、先端面から前記第１基端部に至り、軸方向に沿って切り欠かれた第１スリットと、を有し、前記第２連結部材は、前記ストラップの他端部の反対側の末端部を繋留した第２基端部と、先端部に形成されて前記挿入部が挿入可能な受入部と、この受入部の内壁に形成されて、前記輪帯と嵌合する環状溝と、先端面から前記第２基端部に至り、軸方向に沿って切り欠かれた第２スリットと、を有し、当該ストラップに一定以上の引張り力が作用すると、前記挿入部が縮径、又は受入部が拡径して、前記第１連結部材と前記第２連結部材との連結が解除されてもよい。
【００１８】
（６）前記第１巻取ドラム及び前記第２巻取ドラムは、中心に向かって突出する複数のラチェット歯を有し、前記第１押しボタン及び前記第２押しボタンは、前記第１巻取ドラムのラチェット歯及び前記第２巻取ドラムのラチェット歯をそれぞれ前記ストラップが引き出される方向に回転するように逃がす戻り止め刃であって、前記第１巻取ドラムのラチェット歯及び前記第２巻取ドラムのラチェット歯がそれぞれ前記ストラップを巻き取る方向に回転することを阻止する一つ以上の戻り止め刃を有してもよい。
【００１９】
（７）前記第１開口と前記第２開口とが近接して配置されていることが好ましい。
【００２０】
（８）前記第１ケースと前記第２ケースとが同形になっていてもよい。
【発明の効果】
【００２１】
本発明によるストラップ装置は、ストラップの一端部側を第１巻取ドラムに巻き取っても、ストラップの他端部から第１開口に至るループ長は、人体の首にかける程度の十分な長さを有しているので、不用意に人体の首を拘束することが防止される。
【００２２】
又、本発明によるストラップ装置は、第１巻取ドラムの回動軸と第２巻取ドラムの回動軸とが略同軸上に配置されるように、第１ケースと第２ケースがそれらの厚さ方向に連結しているので、収容面積が小さい、よりコンパクトなストラップ装置を提供できる。
【図面の簡単な説明】
【００２３】
【図１】本発明の一実施形態によるストラップ装置の構成を示す斜視図である。
【図２】前記実施形態によるストラップ装置の構成を示す斜視分解組立図である。
【図３】前記実施形態によるストラップ装置の右側面図であり、第２リールを縦断面で示している。
【図４】前記実施形態によるストラップ装置に備わる仕切り板の構成を示す図であり、図４（Ａ）は、仕切り板の平面図、図４（Ｂ）は、仕切り板の正面図、図４（Ｃ）は、仕切り板の背面図、図４（Ｄ）は、図４（Ａ）のＸ−Ｘ矢視断面図である。
【図５】前記実施形態によるストラップ装置に備わる第１ケースの構成を示す図であり、図５（Ａ）は、第１ケースの平面図、図５（Ｂ）は、第１ケースの正面図、図５（Ｃ）は、第１ケースの横断面図、図５（Ｄ）〜図５（Ｇ）は、それぞれ図５（Ａ）のＤ〜Ｇ矢視図である。
【図６】前記実施形態によるストラップ装置に備わる第１巻取ドラムの構成を示す図であり、図６（Ａ）は、第１巻取ドラムの平面図、図６（Ｂ）は、第１巻取ドラムの正面図、図６（Ｃ）は、第１巻取ドラムの背面図、図６（Ｄ）は、図６（Ａ）のＸ−Ｘ矢視断面図である。
【図７】前記実施形態によるストラップ装置に備わる第１押しボタン又は第２押しボタンの構成を示す斜視図であり、図７（Ａ）は、第１押しボタンの斜視図、図７（Ｂ）は、第２押しボタンの斜視図である。
【発明を実施するための形態】
【００２４】
以下、図面を参照して本発明を実施するための形態を説明する。
［ストラップ装置の構成］
最初に、本発明の一実施形態によるストラップ装置の構成を説明する。図１は、本発明の一実施形態によるストラップ装置の構成を示す斜視図である。図２は、前記実施形態によるストラップ装置の構成を示す斜視分解組立図である。図３は、前記実施形態によるストラップ装置の右側面図であり、第２リールを縦断面で示している。
【００２５】
図１から図３を参照すると、本発明の一実施形態によるストラップ装置１０は、円筒状の第１巻取ドラム１と円筒状の第２巻取ドラム２を備えている。第１巻取ドラム１は、その外周にストラップ９の一端部９ａが係止されている。例えば、ストラップ９の一端部９ａは、第１巻取ドラム１の外周に設けた一対の切り欠き１１ｄ・１１ｄに巻回されて固定されている（図６（Ｂ）参照）。そして、第１巻取ドラム１は、ストラップ９を一端部９ａから巻き取ることができる。
【００２６】
又、図１から図３を参照すると、第２巻取ドラム２は、その外周にストラップ９の他端部９ｂが係止されている。例えば、ストラップ９の他端部９ｂは、第２巻取ドラム２の外周に設けた一対の切り欠き２１ｄ・２１ｄに巻回されて固定されている（図６（Ｂ）参照）。そして、第２巻取ドラム２は、ストラップ９を他端部９ｂから巻き取ることができる。
【００２７】
図２又は図３を参照すると、ストラップ装置１０は、第１ぜんまいばね１ａと第２ぜんまいばね２ａを備えている。第１ぜんまいばね１ａは、その蓄勢された復元力によって、第１巻取ドラム１がストラップ９を巻き取る方向に力を付勢できる。同様に、第２ぜんまいばね２ａは、その蓄勢された復元力によって、第２巻取ドラム２がストラップ９を巻き取る方向に力を付勢できる。
【００２８】
図１から図３を参照すると、ストラップ装置１０は、一組の円筒状の第１ケース３と円筒状の第２ケース４を備えている。これらの第１ケース３と第２ケース４は、互いに開口側がつき合わされて、ストラップ装置１０の外殻を構成している。
【００２９】
図１から図３を参照すると、第１ケース３は、第１巻取ドラム１及び第１ぜんまいばね１ａを内装すると共に、第１巻取ドラム１を回転自在に保持している。同様に、第２ケース４は、第２巻取ドラム２及び第２ぜんまいばね２ａを内装すると共に、第２巻取ドラム２を回転自在に保持している。
【００３０】
図１又は図２を参照すると、ストラップ９は、その途中に安全連結具８を有している。安全連結具８は、互いに着脱可能な一組の円筒状の第１連結部材８１及び第２連結部材８２で構成されている。そして、ストラップ９に一定以上の引張り力が作用すると、第１連結部材８１と第２連結部材８２との連結が解除される。
【００３１】
図１又は図２を参照すると、第１ケース３は、その外周の一部が開口された第１開口３１を有している。第１開口３１には、ストラップ９の一端部９ａ側が進退できる。又、第１開口３１は、第１連結部材８１の外形より小さく開口しており、第１連結部材８１の進入が阻止される。
【００３２】
同様に、図１又は図２を参照すると、第２ケース４は、その外周の一部が開口された第２開口４１を有している。第２開口４１には、ストラップ９の他端部９ｂ側が進退できる。又、第２開口４１は、第２連結部材８２の外形より小さく開口しており、第２連結部材８２の進入が阻止される。
【００３３】
図１に示されたストラップ９は、そのループを首にかけて使用するネックストラップを示している。そして、ストラップ装置１０は、クリップ９１を介して、例えば、社員証（図示せず）などを収容したカードケース９２を吊り下げている。
【００３４】
引き続き、実施形態によるストラップ装置１０の構成を説明する。なお、第１巻取ドラム１と第２巻取ドラム２とは、同じものであるが説明の便宜上、符号を変えて区別した。そして、第１巻取ドラム１を代表して、以下に説明する場合がある。同様に、第１ケース３と第２ケース４とは、同じものであるが説明の便宜上、符号を変えて区別した。そして、第１ケース３を代表して、以下に説明する場合がある。
【００３５】
図４は、前記実施形態によるストラップ装置に備わる仕切り板の構成を示す図であり、図４（Ａ）は、仕切り板の平面図、図４（Ｂ）は、仕切り板の正面図、図４（Ｃ）は、仕切り板の背面図、図４（Ｄ）は、図４（Ａ）のＸ−Ｘ矢視断面図である。
【００３６】
又、図５は、前記実施形態によるストラップ装置に備わる第１ケースの構成を示す図であり、図５（Ａ）は、第１ケースの平面図、図５（Ｂ）は、第１ケースの正面図、図５（Ｃ）は、第１ケースの横断面図、図５（Ｄ）〜図５（Ｇ）は、それぞれ図５（Ａ）のＤ〜Ｇ矢視図である。
【００３７】
図６は、前記実施形態によるストラップ装置に備わる第１巻取ドラムの構成を示す図であり、図６（Ａ）は、第１巻取ドラムの平面図、図６（Ｂ）は、第１巻取ドラムの正面図、図６（Ｃ）は、第１巻取ドラムの背面図、図６（Ｄ）は、図６（Ａ）のＸ−Ｘ矢視断面図である。
【００３８】
図７は、前記実施形態によるストラップ装置に備わる第１押しボタン又は第２押しボタンの構成を示す斜視図であり、図７（Ａ）は、第１押しボタンの斜視図、図７（Ｂ）は、第２押しボタンの斜視図である。
【００３９】
図２から図４を参照すると、ストラップ装置１０は、円板状の仕切り板７を備えている。仕切り板７は、複数の第１ランス７１を外周に放射状に配置している。これらの第１ランス７１は、仕切り板７の一方の面７ａ側に突出している。そして、これらの第１ランス７１の先端部に設けた鉤爪は、第１ケース３の外周に開口した係止穴３２に係止できる（図５参照）。
【００４０】
同様に、図２から図４を参照すると、仕切り板７は、複数の第２ランス７２を外周に放射状に配置している。これらの第２ランス７２は、仕切り板７の他方の面７ｂ側に突出している。そして、これらの第２ランス７２の先端部に設けた鉤爪は、第２ケース４の外周に開口した係止穴４２に係止できる（図５参照）。このように、仕切り板７は、第１ケース３と第２ケース４とをそれらの厚さ方向に連結している。
【００４１】
図２から図４を参照すると、仕切り板７は、円柱状の回動軸７３を一方の面７ａの中心部から突出している。又、仕切り板７は、円柱状の回動軸７４を他方の面７ｂの中心部から突出している。そして、回動軸７３と回動軸７４とは、略同軸上に配置されている。
【００４２】
図２から図４を参照すると、回動軸７３は、第１巻取ドラム１を回動可能に支持している。一方、回動軸７３は、第１巻取ドラム１を回動可能に支持している。これにより、第１巻取ドラム１の回動軸と第２巻取ドラム２の回動軸とが略同軸上に配置されている。
【００４３】
図２から図４を参照すると、回動軸７３は、すり割り溝７３ａを設けている。すり割り溝７３ａには、第１ぜんまいばね１ａの始端部１１ａが係止される。第１ぜんまいばね１ａの終端部１２ａは、第１巻取ドラム１の外周に切り欠かれた一組のスリット溝１２ｂ・１２ｂの内、いずれか一方のスリット溝１２ｂに係止される（図６参照）。これにより、第１ぜんまいばね１ａは、第１巻取ドラム１が一方の方向に回転するように力を付勢できる。
【００４４】
同様に、図２から図４を参照すると、回動軸７４は、すり割り溝７４ａを設けている。すり割り溝７４ａには、第２ぜんまいばね２ａの始端部２１ａが係止される。第２ぜんまいばね２ａの終端部２２ａは、第２巻取ドラム２の外周に切り欠かれた一組のスリット溝２２ｂ・２２ｂの内、いずれか一方のスリット溝２２ｂに係止される（図６参照）。これにより、第２ぜんまいばね２ａは、第２巻取ドラム２が一方の方向に回転するように力を付勢できる。
【００４５】
図２又は図３及び図７（Ａ）を参照すると、第１ケース３は、第１押しボタン５を備えている。第１押しボタン５は、円柱状の第１頭部５ａを設けている。第１頭部５ａの反対面と回動軸７３の先端面との間には、弾性体としての圧縮コイルばね１ｂを介在している。そして、圧縮コイルばね１ｂは、第１押しボタン５が第１ケース３の内壁面に向かう力を付勢している。
【００４６】
図５を参照すると、第１ケース３は、内部に向かって僅かに陥没した窪み部３３を中央部に設けている。窪み部３３の中央部には、貫通穴３３ａを開口している。そして、第１押しボタン５の第１頭部５ａが第１ケース３の内側から貫通穴３３ａに挿入されている（図１又は図３参照）。
【００４７】
図１又は図３及び図５を参照すると、第１押しボタン５の第１頭部５ａは、窪み部３３から突出するように配置されている。そして、第１押しボタン５の第１頭部５ａは、第１ケース３の外面から僅かに突出するようにも配置されている。
【００４８】
図５を参照すると、窪み部３３には、内部に向かって突出する一対のピン３３ｂ・３３ｂを立設している。一方、図７（Ａ）を参照すると、第１押しボタン５のフランジ５ｆには、一対のピン３３ｂ・３３ｂが嵌合する一対の穴５３ｂ・５３ｂを設けている。
【００４９】
図１から図３を参照して、第１ケース３の外面から僅かに突出した第１頭部５ａを指などで押すと（操作すると）、圧縮コイルばね１ｂを圧縮して、第１押しボタン５を内部側に移動できる。第１頭部５ａを解放すると、圧縮コイルばね１ｂの復元力で第１押しボタン５を初期の位置に復帰できる。これらの場合、一対のピン３３ｂ・３３ｂに規制されて、第１押しボタン５は、回転することなく、進退運動のみが許容されている。
【００５０】
同様に、図２又は図３及び図７（Ｂ）を参照すると、第２ケース４は、第２押しボタン６を備えている。第２押しボタン６は、円柱状の第２頭部６ａを設けている。第２頭部６ａの反対面と回動軸７４の先端面との間には、弾性体としての圧縮コイルばね２ｂを介在している。そして、圧縮コイルばね２ｂは、第２押しボタン６が第２ケース４の内壁面に向かう力を付勢している。
【００５１】
図５を参照すると、第２ケース４は、内部に向かって僅かに陥没した窪み部４３を中央部に設けている。窪み部４３の中央部には、貫通穴４３ａを開口している。そして、第２押しボタン６の第２頭部６ａが第２ケース４の内側から貫通穴４３ａに挿入されている（図１又は図３参照）。
【００５２】
図１又は図３及び図５を参照すると、第２押しボタン６の第２頭部６ａは、窪み部４３から突出するように配置されている。そして、第２押しボタン６の第２頭部６ａは、第２ケース４の外面から僅かに窪むようにも配置されている。
【００５３】
図５を参照すると、窪み部４３には、内部に向かって突出する一対のピン４３ｂ・４３ｂを立設している。一方、図７（Ｂ）を参照すると、第２押しボタン６のフランジ６ｆには、一対のピン４３ｂ・４３ｂが嵌合する一対の穴６３ｂ・６３ｂを設けている。
【００５４】
図１から図３を参照して、第２ケース４の外面から僅かに窪んだ第２頭部６ａを指などで押すと（操作すると）、圧縮コイルばね２ｂを圧縮して、第２押しボタン６を内部側に移動できる。第２頭部６ａを解放すると、圧縮コイルばね２ｂの復元力で第２押しボタン６を初期の位置に復帰できる。これらの場合、一対のピン４３ｂ・４３ｂに規制されて、第２押しボタン６は、回転することなく、進退運動のみが許容されている。
【００５５】
次に、第１巻取ドラム１と第１押しボタン５との連結構造を説明する。なお、第２巻取ドラム２と第２押しボタン６との連結構造は、同様に構成されるので、以下では説明を割愛する場合がある。
【００５６】
図６を参照すると、第１巻取ドラム１は、中心に向かって突出する四つのラチェット歯１ｃを有している。ラチェット歯１ｃは、一方の端面が鋭角な傾斜面１１ｃを形成し、他方の端面が平坦な停止面１２ｃを形成している。なお、第１巻取ドラム１には、回動軸７３が回転自在に連結すると共に、圧縮コイルばね１ｂを内装する軸穴１ｄを中心部に開口している。
【００５７】
一方、図７（Ａ）を参照すると、第１押しボタン５は、フランジ５ｆから遠心方向に延出する一対の戻り止め刃５ｂ・５ｂを有している。戻り止め刃５ｂは、一方の端面が鋭角な傾斜面５１ｂを形成し、他方の端面が平坦な停止面５２ｂを形成している。戻り止め刃５ｂと同じ戻り止め刃６ｂは、第２押しボタン６にも形成されている。
【００５８】
図１から図３を参照して、第１ケース３からストラップ９を引き出すと、第１巻取ドラム１が回動して、ラチェット歯１ｃの傾斜面１１ｃと戻り止め刃５ｂの傾斜面５１ｂが相対的に摺動する。そして、戻り止め刃５ｂは、ラチェット歯１ｃから逃げる方向（軸方向）に撓みながら移動する。戻り止め刃５ｂが相対的にラチェット歯１ｃを乗り越えた後は、第１押しボタン５は、初期の状態に復帰する。
【００５９】
このように、図１から図３を参照すると、第１巻取ドラム１からストラップ９を引き出している間は、一対の戻り止め刃５ｂ・５ｂは、軸方向に撓んだ後に復帰する間欠運動を繰り返す。
【００６０】
一方、第１巻取ドラム１からストラップ９の引き出しを停止すると、第１巻取ドラム１には、ストラップ９を巻き取る力が作用するが、ラチェット歯１ｃの停止面１２ｃに戻り止め刃５ｂの停止面５２ｂに当接して、第１巻取ドラム１がストラップ９を巻き取る方向に回転することが阻止される。
【００６１】
このように、ストラップ９は、第１ケース３から所望の長さに引き出して、停止することができる。そして、第１押しボタン５の第１頭部５ａを指などで押すと（操作すると）、ラチェット歯１ｃから戻り止め刃５ｂが軸方向に完全に逃げて、ストラップ９を第１巻取ドラム１に自動的に巻き取ることができる。
【００６２】
［ストラップ装置の作用］
次に、実施形態によるストラップ装置１０の構成を補足しながら、ストラップ装置１０の作用及び効果を説明する。
【００６３】
図１を参照して、第１ケース３からストラップ９を引き出すと共に、第２ケース４からストラップ９を引き出し、ストラップ９のループを首にかけて、社員証（図示せず）などを収容したカードケース９２を吊り下げることができる。
【００６４】
図１から図３を参照して、第１押しボタン５の第１頭部５ａを押すと、安全連結具８（第１連結部材８１）が第１開口３１に当接するまで、ストラップ９を自動的に巻き取ることができる。第２押しボタン６の第２頭部６ａを押すと、安全連結具８（第２連結部材８２）が第２開口４１に当接するまで、ストラップ９を自動的に巻き取ることができる。そして、ストラップ９を完全にストラップ装置１０に収容できる。
【００６５】
実施形態によるストラップ装置１０は、外部から操作すると、第１巻取ドラム１との係合が解除されて、ストラップ９を第１巻取ドラム１に巻き取る第１押しボタン５を第１ケース３が備え、外部から操作すると、第２巻取ドラム２との係合が解除されて、ストラップ９を第２巻取ドラム２に巻き取る第２押しボタン６を第２ケース４が備えているので、第１巻取ドラム１と第２巻取ドラム２とを互いに独立して運動できる。したがって、次のような効果を得ることも可能である。
【００６６】
実施形態によるストラップ装置１０は、第１押しボタン５を押して、ストラップ９の一端部９ａ側を第１巻取ドラム１に巻き取っても、ストラップ９の他端部９ｂから安全連結具８（又は第１開口３１）に至るループ長は、人体の首にかける程度の十分な長さを有しているので、不用意に人体の首を拘束することが防止される。
【００６７】
又、図１又は図３を参照すると、第１押しボタン５の第１頭部５ａは、第１ケース３の外面から僅かに突出して配置されている。一方、第２押しボタン６の第２頭部６ａは、第２ケース４の外面から僅かに窪んで配置されている。図７を参照すると、第２頭部６ａの高さは、第１頭部５ａの高さより、低く設定している。
【００６８】
前述したように、第１押しボタン５を操作しても、ストラップ９は、人体の首を拘束することが防止される程度の余長がある。一方、第２押しボタン６を操作すると、ストラップ９を完全にストラップ装置１０に収容するので、第２押しボタン６が不用意に作動しないように、第２押しボタン６の第２頭部６ａを第２ケース４の外面から僅かに窪んで配置した。これにより、第２押しボタン６の操作による誤動作が低減される。
【００６９】
又、図２を参照すると、安全連結具８は、互いに着脱可能な一組の円筒状の第１連結部材８１及び第２連結部材８２で構成されている。第１連結部材８１は、第１基端部８１ａ、挿入部８１ｂ、輪帯８１ｃ、及び第１スリット８１ｄを有して構成されている。
【００７０】
図２を参照すると、第１基端部８１ａは、ストラップ９の一端部９ａの反対側の末端部を繋留している。挿入部８１ｂは、第１連結部材８１の先端部に形成されており、第１基端部８１ａより外径が小さくなっている。輪帯８１ｃは、挿入部８１ｂの外周に隆起するように設けられている。第１スリット８１ｄは、先端面から第１基端部８１ａに至り、軸方向に沿って切り欠かれている。
【００７１】
図２を参照すると、第２連結部材８２は、第２基端部８２ａ、受入部８２ｂ、図示しない環状溝８２ｃ、及び第２スリット８２ｄを有して構成されている。第２基端部８２ａは、ストラップ９の他端部９ｂの反対側の末端部を繋留している。受入部８２ｂは、第２連結部材８２の先端部に形成されており、挿入部８１ｂを挿入できる。環状溝８２ｃは、受入部８２ｂの内壁に形成されており、輪帯８１ｃと嵌合できる。又、第２スリット８２ｄは、先端面から第２基端部８２ａに至り、軸方向に沿って切り欠かれている。
【００７２】
図１又は図２を参照すると、ストラップ９に一定以上の引張り力が作用すると、挿入部８１ｂが縮径、又は受入部８２ｂが拡径して、第１連結部材８１と第２連結部材８２との連結が解除される。
【００７３】
このように、実施形態によるストラップ装置１０は、ストラップ９に一定以上の引張り力が作用すると、連結が解除される安全連結具８をストラップ９の途中に有しているので、人体がストラップ９に引きずられることが防止されて安全である。
【００７４】
更に、実施形態によるストラップ装置１０は、第１巻取ドラム１の回動軸と第２巻取ドラム２の回動軸とが略同軸上に配置されるように、第１ケース３と第２ケース４がそれらの厚さ方向に連結しているので、収容面積が小さい、よりコンパクトなストラップ装置を提供できる。
【００７５】
実施形態によるストラップ装置１０は、第１開口３１と第２開口４１とを近接して配置おり、ストラップ９を完全にストラップ装置１０に収容できる。又、実施形態によるストラップ装置１０は、第１ケース３と第２ケース４とを同形にするなど、部品を共有化しており、製造原価の低減に寄与できる。
【００７６】
ストラップ９は、繊維が織られた帯状の組み紐を用いることができ、ナイロン、テトロン、ポリエチレンなどの合成樹脂バンドを用いることができ、皮革などの天然素材を用いることもできる。
【００７７】
実施形態によるストラップ装置１０は、ループを首にかけて使用するネックストラップを開示したが、本発明の技術的思想を応用すれば、実施形態によるストラップ装置１０をループが手首又は指にかけられて使用するショートストラップに適用することもできる。又、実施形態によるストラップ装置１０は、着用物がカードケースに限定されない。クリップを代えて、小型で軽量の携帯電話機やカメラを着用することもできる。
【００７８】
実施形態によるストラップ装置１０は、表面と裏面を特段、規定しないが、ストラップ装置１０を首にかける場合は、第２押しボタン６を人体側にすることが好ましい。したがって、第１ケース３側が表面と認識できるように、意匠や商標を第１ケース３の外面に表示しておくことが好ましい。
【符号の説明】
【００７９】
１  第１巻取ドラム
１ａ  第１ぜんまいばね
２  第２巻取ドラム
２ａ  第２ぜんまいばね
３  第１ケース
４  第２ケース
９  ストラップ
９ａ  ストラップの一端部
９ｂ  ストラップの他端部
１０  ストラップ装置
３１  第１開口
４１  第２開口
【図１】
2011217862.tif 000003
【図２】
2011217862.tif 000004
【図３】
2011217862.tif 000005
【図４】
2011217862.tif 000006
【図５】
2011217862.tif 000007
【図６】
2011217862.tif 000008
【図７】
2011217862.tif 000009